(57)【特許請求の範囲】
【請求項１】
気体不透過性材料で構成され、一部に非噛み合い部分２０を有せしめて一周または一部に連結部を残して一周にファスナー２を設けたバルーン体１と、このバルーン体中に気体を連続的に注入してバルーン体１を膨らませる送風手段３と、前記非噛み合い部分２０に対応する位置のバルーン体表面に設けられ、バルーン体１の膨張内圧による前記非噛み合い部分２０からのバルーン体の割れを要時まで阻止する仮止め手段４とを備え、該仮止め手段４による前記非噛み合い部分２０の仮止め解除時に内圧によりバルーン体１が一瞬にして割れるように構成されていることを特徴とする仕掛けバルーン。
【請求項２】
気体不透過性材料で構成され、一部に非噛み合い部分２０を有せしめて一周または一部に連結部を残して一周にファスナー２を設けたバルーン体１と、気体不透過性材料で構成され前記バルーン体１の半部外面に前端周部を連設した付属部室体５と、バルーン体１中および付属部室体５に気体を連続的に注入して膨らませる送風手段３と、前記非噛み合い部分２０に対応する位置のバルーン体表面に設けられ、バルーン体１の膨張内圧による前記非噛み合い部分２０からのバルーン体の割れを要時まで阻止する仮止め手段４とを備え、かつバルーン体１が前記付属部室体５の前面に対応する部位に入口ファスナー１０１を有し、付属部室体５が後部に入口ファスナー５０１を有していることを特徴とする仕掛けバルーン。
【請求項３】
付属部室体５は気体の注入により膨張して立体室形状を形成するための中空状骨格部体５ａと中空状骨格部体５ａの外周面及び後面に張設された外皮５ｂとを備え、中空状骨格部体５ａの一部に送風手段３からの導管に対する接続部が設けられている請求項２に記載の仕掛けバルーン。
【請求項４】
仮止め手段４は、非噛み合い部分２０を中心としてその前後所要範囲にわたる大きさを有し、バルーン体１を構成する片側半部１ａの非噛み合い部分側方位置に取付けられた留め面付きの第１片４ａと、非噛み合い部分２０を中心としてその前後所要範囲にわたる大きさを有し、表面に前記留め面に接合する留め面を備え、バルーン体を構成する他側半部１ｂの非噛み合い部分側方位置に起伏自在に取付けられた第２片４ｂと、前記第２片４ｂの自由端に連結され、要時に第１片と第２片との留めを剥すための牽引条体４ｃを備えている請求項１ないし３に記載の仕掛けバルーン。
【発明の詳細な説明】
【０００１】
【発明の属する技術分野】
本発明は仕掛けバルーンに関する。
【０００２】
【従来の技術】
各種イベント、たとえば車両などの新製品の展示会、結婚式の披露宴など慶事の、芸能ショーなどにおいては、見物人の注目を引くことがもっとも効果的である。
この効果を狙って種々の演出手段が採用され、暗転とスポット照明、レーザービームなどの電子的照明技術が多く使用されているが、汎用されることにより陳腐化し、見慣れたものとなり、コストがかかる割には、あまり効果が得られなくなっている。
他の手段としては、垂れ幕で製品や登場人物を隠蔽しておき、要時に垂れ幕を吊っていた綱などを切断して垂れ幕を落とすことも行われているが、仕掛けが当初からわかってしまうので興趣に欠け、インパクトが乏しいという難点があった。
【０００３】
【発明が解決しようとする課題】
本発明は前記のような問題点を解消するためになされたもので、その目的とするところは、比較的簡単な構造で、しかも見る者に強い視覚的インパクトを与えることができ、かつ繰り返し使用することができる仕掛けバルーンを提供することにある。
【０００４】
また、本発明の他の目的は、人間あるいは物品の装入が容易であり、バルーンを膨らませている途中でバルーンを窄ませることなく人間あるいは物品を自在に入れることができる仕掛けバルーンを提供することにある。
【０００５】
【課題を解決するための手段】
上記目的を達成するため本発明は、気体不透過性材料で構成され、一部に非噛み合い部分を有せしめて一周または一部に連結部を残して一周にファスナーを設けたバルーン体と、このバルーン体中に気体を連続的に注入してバルーン体を膨らませる送風手段と、前記非噛み合い部分に対応する位置のバルーン体表面に設けられ、バルーン体１の膨張内圧による前記非噛み合い部分からのバルーン体の割れを要時まで阻止する仮止め手段とを備え、該仮止め手段による前記非噛み合い部分の仮止め解除時に内圧によりバルーン体が一瞬にして割れるように構成されていることを特徴としている。
【０００６】
また、本発明は、気体不透過性材料で構成され、一部に非噛み合い部分を有せしめて一周または一部に連結部を残して一周にファスナーを設けたバルーン体と、気体不透過性材料で構成され前記バルーン体の半部外面に前端周部を連設した付属部室体と、バルーン体中および付属部室体に気体を連続的に注入して膨らませる送風手段と、前記非噛み合い部分に対応する位置のバルーン体表面に設けられ、バルーン体１の膨張内圧による前記非噛み合い部分からのバルーン体の割れを要時まで阻止する仮止め手段とを備え、かつバルーン体が前記付属部室体の前面に対応する部位に入口ファスナーを有し、付属部室体が後部に入口ファスナーを有していることを特徴としている。
【０００７】
付属部室体は気体の注入により膨張して立体室形状を形成するための中空状骨格部体と中空状骨格部体の外周面及び後面に張設された外皮とを備え、中空状骨格部体の一部に送風手段からの導管に対する接続部が設けられている。
【０００８】
仮止め手段は、好適には、非噛み合い部分を中心としてその前後所要範囲にわたる大きさを有し、バルーン体を構成する片側半部の非噛み合い部分側方位置に取付けられた留め面付きの第１片と、非噛み合い部分を中心としてその前後所要範囲にわたる大きさを有し、表面に前記留め面に接合する留め面を備え、バルーン体を構成する他側半部１ｂの非噛み合い部分側方位置に起伏自在に取付けられた第２片と、前記第２片の自由端に連結され、要時に第１片と第２片との留めを剥すための牽引条体を備えている。
本発明において、「バルーン体」とは、球形のものに限定されず、所望の立体的造形のものを含んでいる。
【０００９】
【発明の実施の形態】
以下本発明の実施例を添付図面を参照して説明する。
図１ないし図７は本発明による仕掛けバルーンの第１実施例を使用状態で示している。
図１において、１はバルーン体であり、気体不透過性材料たとえば合成樹脂製のシートあるいはこれと他の材料をラミネートしたものなどで作られた２つの半部１ａ、1ｂからなり、それら半部１ａ、1ｂの合わせ縁部略全周がファスナー(ジッパー、チャック)２によって開閉自在となっている。この例では、バルーン体は球体としている。
【００１０】
前記ファスナー２は，半部１ａ、1ｂの縁に縫着された左右のテープに配設された左右の務歯２１，２１からなり、スライダー２ａにより左右の務歯を噛み合わせることで半部１ａ、1ｂが連結されるようになっている。前記ファスナー２は、図1（ｂ）のように、所望の一部たとえば始終端部に意図的に止金具を設けず、半部１ａ、1ｂの割れ開始点として機能するための非噛み合い部２０を形成しており、この非噛み合い部２０でスライダー２ａが取り外し可能となっている。
【００１１】
３は送風手段たとえば送風機であり、バルーン体１の外方適所に配され、ホースなどの導管３０により前記半部１ａ、1ｂの一方に通じている。
４は前記非噛み合い部２０の分離を要時まで防止する仮止め手段であり、図１(ｂ)のように、ファスナー２の非噛み合い部２０に対応する位置の一方の半部１ａの表面に取付けられた留め面４０付きの第１片４ａと、ファスナー２の非噛み合い部２０に対応する位置の他方の半部１ｂに起伏自在に取付けられた第２片４ｂと、前記第２片４ｂの自由端に連結され、要時に第１片４ａと第２片４ｂとの留めを剥すための牽引条体４ｃを備えている。第２片４ｂは表面に前記留め面４０に接合する留め面４１を有している。
【００１２】
第１片４ａと第２片４ｂは、ファスナー２の非噛み合い部２０を中心としてその前後所要範囲にわたる大きさのシートからなっており、留め面４０、４１は線維製のループとフックを無数に植え立てたベルクロテープから構成されている。第２片４ｂの自由端には牽引条体４ｃの連結具４ｄが固定されており、この例では、連結具４ｄに、一端が非噛み合い部２０の片側縁２００に連結された引き条体４ｃ’の他端が固定されている。牽引条体４ｃは後方に導かれ要時まで牽引されぬように保持される。引き条体４ｃ’は必ずしも設けなくてもよい。
【００１３】
なお、本発明のバルーン体１は必ずしも全周にファスナー２が設けられている場合に限定されず、ほぼ全周に近く設けられている場合を含んでいる。
図８はその例を示しており、半部１ａ、1ｂは一部（好ましくは使用時に底部となる部分）が連結部１００によってつながっており、この連結部１００の両端からファスナー２、２が設けられ、それらの端部に非噛み合い部２０が設けられている。この実施例の場合にはファスナー２、２に対応してスライダーを２つ使用し、非噛み合い部２０の位置で取り外すようにすればよい。
他の構成は第１実施例と同様であるから、説明を援用する。
【００１４】
図９ないし図１１は本発明の第２実施例を示している。
この第２実施例は、人間や物品の装入をバルーン体１の膨らまし中の任意の時期に容易に行えるようにしたもので、バルーン体１の半部１ｂに、気体不透過性材料で構成された付属部室体５を連結している。
付属部室体５は、気体の注入により膨張してたとえば箱型の立体室形状を形成するための中空状骨格部体５ａと、中空状骨格部体５ａに張設された気体不透過性材料製の外皮５ｂとを備えている。
【００１５】
中空状骨格部体５ａは、先端が半部１ｂの外面に固定された複数本の横チューブ５０，５０と、横チューブ５０，５０の後端を結ぶ門形状ないしアーチ状の縦チューブ５１とからなっており、縦チューブ５１の下端部には送風手段３からの導管との接続部５１０が設けられている。前記外皮５ｂは、横チューブ５０，５０と接触部分を接合した胴面部５４と、縦チューブ５１との接触部分を接合した後面部５５を有しており、中空状骨格部体５ａが膨張したときに、外皮５ｂと中空状骨格部体５ａおよび半部１ｂの外面と空室５ｄが形成されるようになっている。
【００１６】
そして、空室５ｄの前面に相当する半部１ｂの外面には，入口ファスナー１０１が設けられており、外皮５ｂの適所好適には、見物人から見えにくい後面部５５に、入口ファスナー５０１が設けられている。
【００１７】
前記半部１ｂの下部には送風手段３に対する導管３２が付属部室体５を貫通して半部１ｂ内に通じている。送風手段３はバルーン体１用のものと付属部室体５用のものと別でもよいが、簡易化のために、この実施例では１基の送風手段３の主導管３０に分岐管３１を接続し、これにバルーン体１用の導管３２と付属部室体５用の導管３３を接続している。そして、付属部室体用導管３３の後端またはその近傍の分岐管出口部３１には、要時たとえばバルーン体１内に人間が入り終わったときに付属部室体５への気体の供給を停止する手段３３１が設けられている。この気体供給停止手段３３１は、仕切弁的な機能を有するものたとえば導管３３を縛って通路断面積を縮減させる紐などでもよいし、あるいは分岐管３１と導管３３の接続を機械的に切り離す手段であってもよい。
【００１８】
バルーン体１の構成、ファスナー２の構成、仮止め手段４の構成など他の構成は第１、第２実施例と同様であるから、同じ部分に同じ符号を付し、説明は省略略する。
【００１９】
図示するものはあくまでも本発明の数例であり、他に種々の態様を採用することができる。
１) バルーン体１の形状は球形に限らず、ピラミッド状などの多角錐体、円柱体、立方体、直方体など、さらには動物、植物、キャラクター、乗り物、火山、岩石など任意の立体造型体であってもよい。また、バルーン体１は表面に種々の色彩、模様、図柄などが施され、あるいは付属的な立体的装飾などが施されていてもよい。
【００２０】
２）ファスナー２の位置はバルーン体１の中心線上でなくてもよい。また必ずしも縦割りでなく、横割り、斜め割りであってもよい。さらに、大きさの異なる複数のバルーン体を２重以上組み合わせ、それぞれに本発明の構造を備えさせてもよい。この場合、内部のバルーン体に対する気体供給導管は外側のバルーン体を貫いて導けばよい。
３）仮止め手段４は、非噛み合い部２０の分離を要時まで防止する機能を有するものであればよく、必ずしもベルクロファスナー式の当て布に限られない。たとえば、互いに係合し牽引力が作用したときに分離する二つ割リングなどであってもよい。
【００２１】
【実施例の作用】
第１実施例においては、図１（ａ）、（ｂ）のようにファスナー２が開いた状態で半部１ａ、1ｂの一方または両方にまたがるように対象物Aを配し、この状態でスライダー２ａを非噛み合い部２０から嵌め、周方向に移動させる。務歯２１，２１が噛み合うことにより半部１ａ、1ｂは連結され、対象物Aを内蔵した平坦なバルーン体1’になる。なお、演出効果を高めるため、バルーン体１の内部に紙ふぶき、風船、スモーク発生器、動物などを対象物と一緒に入れてもよい。
スライダー２ａが非噛み合い部２０に至ったところでスライダー２ａを抜き取ると、図１（ｃ）の状態になる。
【００２２】
次に、非噛み合い部２０に存する仮止め手段４を操作し、非噛み合い部２０を仮止めする。これは、図１（ｃ）のように開き状態にある第２片４ｂを他側半部１ａ側に倒し、留め面４１を第１片４ａの留め面４０に接合することで行われ、それにより、図５（ａ）のように、非噛み合い部２０が開きから保護されるとともに、次の工程での該部分からの気体の漏れが防止される。
【００２３】
この状態で準備が整うので、次に図２のように観客Ｂから見えにくい背後に配した送風手段３を作動して導管３０から、平坦なバルーン体1’に気体を連続的に送り込む。それにより図３のようにバルーン体１は膨張し、この例では球状になる。気体は一般に空気であるが、他の気体であってもよい。気体は着色されていてもよいし、気体に発泡樹脂の粒子など所望の軽量物が含まれていてもよい。
【００２４】
こうしてバルーン体１が膨張すると、内圧の高まりによりファスナー２を開かせようとする力が発生し、その力は務歯２１，２１が噛み合っていない非噛み合い部２０に集中するが、この部分は第１片４ａと第２片４ｂとの接合で乖離が阻止されているので、バルーン体１は図３のように確実に完全に球形になるまで膨張させられる。
【００２５】
演出プログラムにしたがって、頃合いを見計らい、図４のように牽引条体４ｃを引っ張れば、第１片４ａと第２片４ｂはベルクロの特性として上下の引っ張りには弱いので、図５（ｂ）のように第２片４ｂは第１片４ａから剥がされ、それに伴い非噛み合い部２０に対する保護が喪失するので、非噛み合い部２０からファスナー２が分離し始める。
なお、図示するものでは、引き条体４ｃ’が非噛み合い部２０の片側縁２００に連結されているので、前記牽引条体４ｃの引っ張りで引き条体４ｃ’に最初にテンションがかかり、非噛み合い部２０が離間側に強制的に引っ張られる。
【００２６】
さらに牽引条体４ｃの引っ張りを持続すると、図５（ｃ）のように第２片４ｂが非噛み合い部２０の前後の半部部分１ｂを強制的に引っ張るので、バルーン体１内の気体の内圧で自然にファスナー２の噛み合いが解かれてゆく。このため、図６と図７のように、内圧によってバルーン体１は一瞬にして割れ、内蔵していた対象物Aが現れる。したがって、このマジック的な登場により、観客には強烈なインパクトが与えられ、高い演出効果が得られる。
バルーン体１は開かれると扁平なものになるので、搬送などが容易であり、また、風船のように割れると再使用できないものと異なり、ファスナー２の噛み合いでバルーン体１となるので、繰り返し使用することができる。
【００２７】
第２実施例においては、第１実施例と同じようにスライダー２ａでファスナー２を閉じ、非噛み合い部２０の位置でスライダー２ａを取り外し、仮止め手段４で非噛み合い部２０を仮止めする。但し、第２実施例では対象物Ａはこの時点ではバルーン体１’内には入れないでおく。
【００２８】
次いで、送風手段３を作動すれば、気体は主導管３０と分岐管３１から導管３２と導管３３に同時に送られ、図１０のように、導管３２によりバルーン体１’内に連続供給されてバルーン体１が膨張する。また、導管３３から中空状骨格部体５ａに供給され、それまで扁平であった中空状骨格部体５ａが膨らんで、図９と図１０（ａ）のようにバルーン体１の背後に立体化した箱型ないしトンネル型の付属部室体５が形成される。
【００２９】
そこで、付属部室体５の後面部５５の入口ファスナー５０１を開けば、空室５ｄに通じる開口が得られるので、対象物Ａたとえば花嫁は図１１（ｂ）のように立ったまま衣装を乱すことなく、楽に空室５ｄに入ることができる。空室５ｄにな入って入口ファスナー５０１を閉じれば、空室５ｄは再び密閉される。そこで、次に、空室５ｄの前面に相当する半部外面の入口ファスナー１０１を開く。空室５ｄの内圧は空室５ｄ内の内圧とほぼ等しいためバルーン体１はすぼまらず、対象物Ａは空室５ｄからバルーン体１にスムーズに入ることができ、バルーン体１に入った後入口ファスナー１０１を閉じることにより、バルーン体１は密閉される。こうして図１１（ｃ）のように対象物Ａはバルーン体１の膨らみを維持したまま、内蔵される。
【００３０】
対象物Ａが内蔵されたならば、好ましくは、気体供給停止手段３３１を操作し、中空状骨格部体５ａへの気体の供給を停止する。これにより中空状骨格部体５ａはすぼまり、図１１（ｄ）のように付属部室体５のボリュームが喪失する。
この状態で第１実施例と同じように牽引条体４ｃを引っ張り、仮止め手段４による非噛み合い部２０の保護を解除すれば、第１実施例と同じようにバルーン体１は一瞬にして割れ、対象物Ａが魔法のように現れる。このとき付属部室体５のボリュームがすでに喪失しており付属部室体５の存在を隠しておくことができるので、不可思議な印象を与えることができる。
【００３１】
【発明の効果】
以上説明した本発明の請求項１によるときには、比較的簡単な構造で、しかも見る者に強い視覚的インパクトを与えることができ、かつ繰り返し使用することができる仕掛けバルーンを提供するというすぐれた効果が得られる。
【００３２】
請求項２によれば、人間あるいは物品の装入が容易であり、バルーンを膨らませている途中でバルーンを窄ませることなく人間あるいは物品をバルーンに内蔵させることができるというすぐれた効果が得られる。
【００３３】
請求項３によれば、剛性のある空室を形成できるので、人間あるいは物品を容易にバルーン内に進入させることができるというすぐれた効果が得られる。
【００３４】
請求項４によれば、簡単な構造により要時にバルーンを一瞬にして割らせることができるというすぐれた効果が得られる。
【図面の簡単な説明】
【図１】（ａ）は本発明による仕掛けバルーンの第１実施例を開いた状態で示す斜視図、（ｂ）はバルーン体のファスナーの割れ始点部分を開いた状態で示す平面図、（ｃ）はバルーン体のファスナーの割れ始点部分を閉じる寸前の状態示す平面図である。
【図２】バルーン体を膨張させ始めた状態の部分切欠平面図である。
【図３】バルーン体を膨張させた状態の側面図である。
【図４】バルーン体の割りを開始した状態を示す斜視図である。
【図５】（ａ）は仮止め手段でバルーン体の割れを止めた状態の平面図、（ｂ）は仮止め手段を操作しバルーン体の割りを開始した状態の斜視図、（ｃ）はさらにわれが進んだ状態の平面図である。
【図６】バルーン体の割れ途中の斜視図である。
【図７】バルーン体の割れ完了状態の斜視図である。
【図８】本発明によるバルーン体の他の態様を示す平面図である。
【図９】本発明の第２実施例を膨らまし状態で示す斜視図である。
【図１０】第２実施例の膨らまし途中の平面図である。
【図１１】（ａ）（ｂ）（ｃ）（ｄ）は第２実施例において対象物をバルーン体内に進入させる工程を段階的に示す部分切欠側面図である。
【符号の説明】
１  バルーン体
１ａ、１ｂ  半部
２  ファスナー
３  送風手段
４  仮止め手段
４ａ  第1片
４ｂ  第２片
４ｃ  牽引条体
５  付属部室体
２０  非噛み合い部分
１０１、５０１  入口ファスナー
【図１】
0003665756.tif 000002
【図２】
0003665756.tif 000003
【図３】
0003665756.tif 000004
【図４】
0003665756.tif 000005
【図５】
0003665756.tif 000006
【図６】
0003665756.tif 000007
【図７】
0003665756.tif 000008
【図８】
0003665756.tif 000009
【図９】
0003665756.tif 000010
【図１０】
0003665756.tif 000011
【図１１】
0003665756.tif 000012